(57)【要約】【課題】容易に分解、組み立てができるキューを提供すること。【解決手段】多ピース構成のキューは多数のキューの部分を備え、これらは一方のキューの部分に固定されたスリーブブシュ及び他方のキューの部分に固定された連結用ロッドにより一緒に連結される。連結用ロッドは、長い軸を有し、これがスリーブブシュの平滑な円孔内に適合しかつ連結用ロッドの雄ねじとスリーブブシュの雌ねじとを組み合わせることによりスリーブブシュに組みつけられる。【選択図】図１
2006187642.tif 000002
【特許請求の範囲】
【請求項１】
平滑な内径面とリードの大きな連続ねじを持った雌ねじ部分とを有するスリーブに組み付けられたキューの第１の部分；及び連結用ロッドに組み付けられたキューの第２の部分であって、この連結用ロッドはスリーブの平滑な内径と密に適合する平滑な細長い先端部及び大きなリードの連続したねじを持った第１の雄ねじ部分を有し、この第１の雄ねじ部分が連結用ロッドをスリーブに連結するためにスリーブの雌ねじ部分と組み合う前記キューの第１の部分を備えたキュー。
【請求項２】
リードの大きな連続ねじを持った雌ねじ部分を有するスリーブに組み付けられたキューの第１の部分；及び連結用ロッドをスリーブに迅速に連結するために第１の雄ねじ部分がスリーブの雌ねじ部分と組み合うように大きなリードを持った連続ねじのある第１の雄ねじ部分を有する連結用ロッドに組み付けられたキューの第２の部分を備えたキュー。
【発明の詳細な説明】
【技術分野】
【０００１】
本発明は、迅速に容易に分解、組み立てができるビリヤード用のキューに関する。
【背景技術】
【０００２】
ビリヤード用多ピース構成のキューは、一般に、下部のシャフトと上部のバットとの２
部構成で、両部分は、使用時には組み立て、運搬時には分解できる。従来、このシャフト
とバットとは２ピースからなる継ぎ手を使って結合される。この継ぎ手は、通常、キュー
の下部のシャフト内に設けた標準の雌ねじを持つブシュ、及びキューの上部のバット内に
設けた対応雄ねじを持つロッドを持つ。キューの両部分は、キューのシャフトの端がキュ
ーのバットの端に当たるまで、ロッドの雄ねじをブシュの雌ねじにねじ込むことにより連
結される。
【発明の開示】
【発明が解決しようとする課題】
【０００３】
この種の継ぎ手の一つの問題点は、キューの両部分をつなぎ合わせたときに、両部分が
必ずしも互いに同心とはならないことである。同心でないキューは、同心のキューに比べて球にエネルギーを伝える効率性が劣り、従って、球を打つ際に鋭さが劣る。のみならず、ねじ山のあるロッドをブシュにねじ込んでキューをつなぎ合わせるのに時間がかかり、それゆえ、場所的な制約がある場合や球をジャンプさせる打ち方をする場合に、シャフトだけをキューとして使うべく遊戯中にキューを分解するには適していない。
【０００４】
そこで、キューの各部が互いに同心となるように組付けができる多ピース構成のキューの必要性がある。更に、多ピース構成キューの使用者がゲーム中にキューを手早く組み付けたり分解したりできるように、組立て、分解が手早くできる継ぎ手の必要性がある。
【課題を解決するための手段】
【０００５】
本発明は、スリーブに連結されるキューの第１の部分を有するキューを提供する。このスリーブは平滑な内径部と雌の連結域とを持つ。キューの第２の部分は連結用ロッドに連結される。連結用ロッドは、スリーブの平滑な内径に密に適合する長く伸びた平滑な先端部、及び連結用ロッドをスリーブに連結させるためにスリーブの雌の連結部と組み合う雄の連結部を持つ。
【０００６】
好ましい諸実施例において、スリーブの雄の連結部は雄ねじ部分であり、連結用ロッドの雄の連結部は第１の雄ねじ部分である。スリーブは、スリーブをキューの第１の部分に連結させるための雄ねじ部を持つ。連結用ロッドは、連結用ロッドをキューの第２の部分に連結させるための第２の雄ねじ部分を持つ。
【０００７】
好ましい一つの実施例においては、スリーブの雌ねじ部と連結用ロッドの第１の雄ねじ部とは、スリーブと連結用ロッドを互いにねじることにより連結させることのできるアクメねじである。
【発明の効果】
【０００８】
本発明は、各構成ピースを互いに１回転以下の相互回転により迅速に組立て及び分解の
できる多ピース構成のキューを提供する。なお又、各２ピースは互いに同心に結合されるため、エネルギーを効率よく伝達し、それにより、このキューの使用者は球を鋭く突くことが可能となる。更に、本発明のキューが特徴とする迅速な組立て、分解により、２ピース以上のピース構成のキューをゲーム中に組立て、分解することが可能となる。
【発明を実施するための最良の形態】
【０００９】
本発明の上記及びその他の目的、特徴及び利点は、図面の好ましい実施例についての以
下のより特別な説明より明らかとなるであろう。図中、参考に使用した類似の文字、番号は、全図を通して同一部品に対応するものである。各図は必ずしも原寸比例ではなく、本発明の原理を明示するため強調がなされている。
【００１０】
図1、２及び３において、多ピース構成のキュー１０は、継ぎ手１１により結合されたキューの下側部分１４とキューの上側部分１２とを持つ。継ぎ手１１は、それぞれキューの部分１４と１２に連結されたスリーブブシュ１８と連結用ロッド１６とを備える。
【００１１】
スリーブブシュ１８はねじ部分２０と平滑な円孔３８とを持つ。スリーブブシュ１８は、スリーブブシュ１８をキューの部分１４にねじ込んで接着することにより、キューの部分１４に連結される。あるいは、他の適切な手段によりスリーブブシュ１８と下側の部分１４とを連結させることもできる。連結用ロッド１６は平滑な軸部２８、ねじ部２６及びねじ部２４を持つ。連結用ロッド１６は、ねじ部２４をキューの部分１２にねじ込み接着することにより、キューの部分１２にしっかりと固定される。
【００１２】
キューの部分１４と１２とは、連結用ロッド１６の軸２８をスリーブブシュ１８の円孔３８に挿入し、連結用ロッド１６をねじ込んでねじ部２６と３０とを互いに組み合わせることにより連結される。軸２８と円孔３８とは互いに密な滑り嵌めであり、ねじ部２６と３０とが組み合ったときに、キューの部分１４と１２とを０.０１３mm（０.０００５インチ）以内の精度で同心位置にさせる。これにより、エネルギーはキューの上側部分１２からキューの下側部分１４に効率的に伝えられるため、球をキュー１０で鋭く突くことが可能となる。ねじ部２６、３０は大きなリード角を持つため、キューの部分１４と１２とは互いにほぼ1/4回転から１回転の間で連結できる。このため、キュー１０の使用者は、ゲーム中、キューを手早く組み立て、分解することができる。更に、２ピース以上の構成のキューをゲームに使用することも可能となる。
【００１３】
一つの好ましい実施例において、スリーブブシュ１８の雄ねじ部２０には、Ｍ１２×１.７５ ３Ｅ４Ｅタイプのねじである（図2）。これによりスリーブブシュ１８は十分な肉厚を持ち、ねじ部３０のねじが０.３６０−１１×４.０６４mm(０.１６０インチ)という低山アクメねじを持つことができる。円孔３８の内径ＩＤ1は、直径６.９８８ ＋０.００５／−０.０００mm（０.２７５１ ＋０.０００２／−０.００００インチ）の軸２８と滑り嵌めできる寸法になっている。ねじ部３０と円孔３８との間の面取り部４０は、ねじ部と円孔３８との間を滑らかに推移させている。面取り部４０は１５゜×１.５２４mm（０.０６０インチ）で面取りされる。スリーブブシュ１８の長さＬ1は２５.４mm（１インチ）である。ブシュのヘッド２２は幅Ｗ2が３.３０２mm（０.１３０インチ）であり、一方、ブシュのヘッド２２の直径は１２.７mm（０.５００インチ）である。
【００１４】
好ましい実施例において、軸２８の外径ＯＤ1は６.９８５ ＋０.０００／−０.００５mm（０.２７５ ＋０.０００／−０.０００２インチ）である（図3）。軸２８の先端３４は６.３５０mm（０.２５０インチ）間で５゜の角度が付けられ、円弧部３２で終わる。これにより、軸２８は、各部を損傷させることなくスリーブブシュ１８の円孔３８と容易に組み合うことができる。連結用ロッド１６がスリーブブシュ１８と組み合うと、ショルダー３６はショルダー４２としっかり当たる。軸２８の長さＬ3は２５.４mm（１インチ）である。ねじ部２６は０.３６０−１１アクメ４Ｇタイプの低山ねじであり、このねじの長さｄ1は４.５７２mm（０.１８０インチ）である。この低山アクメねじにより、1/4〜１回転までで、下側部分１４を上側部分１２にしっかりと組み合わせることができる。ねじ部２４の直径は７.９３８ ＋０.０１３／−０.１２７mm（０.３１２５ ＋０.０００５／−０.００５インチ）、各ねじ山と鋭い先端点までのリードとの間は、３.９６２mm（０.１５６インチ）フルＲである。連結用ロッドの全長Ｌ2は１０１.６mm（４インチ）とするのが望ましい。
【００１５】
軸２８と円孔３８との滑り嵌めは緩みが−０.００３から０.０１３mm（−０.０００１から０.０００５インチ）として示され、この場合の下側部分１４と上側部分１２の最大の同心度は０.０１３mm（０.０００５インチ）である。しかし、軸２８の直径ＯＤ1と円孔３８の内径ＩＤ1は、同心度が単に０.０２５mm（０.００１インチ）以内となるように寸法を決めることができる。
【００１６】
図4は、本発明の別の好ましい一つの実施例を示すものであり、ここではキューの部分１４をキューの部分１２に連結するためにスリーブブシュ１１８と連結用ロッド１１６とを用いている。ねじ部１２０をキューの下側部分１４にねじ込むことによってスリーブブシュ１１８は下側部分１４にしっかりと組み付けられる。ねじ部１２４をキューの上側部分１２にねじ込み接着することによって、連結用ロッド１１６は、キューの上側部分１２に固定される。
【００１７】
連結用ロッド１１６をスリーブブシュ１１８に組み合わせるには、軸１２８を円孔１３８に挿入して回転させ、ねじ部１４４をねじ部１３０に組み合わせる。内径ＩＤ2と外径ＯＤ1とは、下側部分１４と上側部分１２とが互いに同心となるように密な滑り嵌めを形成するように、相互に寸法を決められる。
【００１８】
好ましい実施例において、ブシュヘッド１２２は、幅Ｗ2が２.７９４／２.９２１mm（０.１１０／０.１１５インチ）、丸みの付けられたエッジ１４８は４.５７２／４.５８０mm（０.１８００／０.１８０３インチ）である。円孔１３８の内径ＩＤ2は０.５０８／０.６３５mm（０.０２０／０.０２５インチ）である。４５゜の面取り部１５０により、ねじ部１４４はねじ部１３０と容易に組み合うことができる。ネック１４６は直径が９.４７４ ±０.０５１mm（０.３７３±０.００２インチ）、幅は２.７９４mm（０.１１０インチ）である。ねじ部１２０は、外径１１.０７４／１０.９２２mm（０.４３６／０.４３０インチ）及び有効径９.８８１／９.７５４mm（０.３８９／０.３８４インチ）を有する７／１６−１４×１９.８１２mm（０.７８０インチ）長さのねじである。ねじ間の隙間ｇは幅０.４５７／０.５３３mm（０.０１８／０.０２１インチ）である。スリーブブシュ１１８の全長Ｌ10は２５.４mm（１インチ）である。ねじ部１３０は有効径６.４９４／６.５０７mm（０.２５５７／０.２５６２インチ）及び内径６.１２１／６.０２０mm（０.２４１／０.２３７インチ）を有する０.３１０−１２.３×２０.３２０mm（０.８００インチ)の深ねじである。ブシュヘッドの外径は１２.２１７ ＋０.０００／−０.２５mm（０.４８１ ＋０.０００／−０.００１インチ）である。
【００１９】
好ましい実施例において、軸１２８の外径ＯＤ2は４.５７２／４.５６７mm（０.１８００／０.１７９８インチ）である。半径部１４２により、軸１２８は円孔１３８と容易に組み合うことができる。軸１２８の長さＬ12は６.０９６／６.３５０mm（０.２４０／０.２５０インチ）である。ねじ部１４４は、有効径６.４９０／６.４９７mm（０.２５５５／０.２５５８インチ）を有する０.３１０−１２.３ねじ×１９.０５±０.１２７mm（０.７５０±０.００５インチ）長さである。平滑部１４０はねじ部と１２４と１４４とを隔てる推移部である。この推移部１４０の幅Ｗ3は６.３５０mm（０.２５０インチ）である。ねじ部１２４は外径７.８７４／７.７７２mm（０.３１０／０.３０６インチ）、有効径６.７０６／６.６２９mm（０.２６４／０.２６１インチ）を有する５／１６−１４ねじである。
【００２０】
図5は本発明の別の一つの好ましい実施例を示す。多ピース構成キュー２１０は、キューの下側部分２１４とキューの上側部分２１２とを持ち、これら両部分は継ぎ手２１１で連結できる。継ぎ手２１１は、キューの部分２１４に取り付けられるスリーブブシュ２１８、及びキューの部分２１２に取り付けられる連結用ロッド２１６を持つ。連結用ロッド２１６は、スリーブブシュ２１８内で平滑な円孔２３８と組み合う軸２８８、及び雌ねじ部２３０と組み合う雄ねじ部２２６を持つ。継ぎ手２１１は、連結用ロッド２１６のねじ部２２６を囲んで保護するためにキューの上側部分２１２の端部に取り付けられるテーパーカラー２４０を持つ。
【００２１】
キューの部分２１２と２１４とは、ねじ部２２６がスリーブブシュ２１８のブシュヘッド２２２に達するまで連結用ロッド２１６の軸２２８をスリーブブシュ２１８の円孔２３８に挿入することにより、互いに連結される。次に、キューの部分２１２と２１４とを互いに回転させてねじ部２２６とねじ部２３０とを組み合わせる。キューの部分２１２と２１４とは、カラー２４０の端部２４０ａがキューの部分２１４の端部２１４ａにしっかり当たるまで約１回転、回される。ねじ部２２６と２３０間の芯ずれがあってもキューの部分２１２と２１４との間の同心度に影響することがないように、軸２２８はキューの部分２１２と２１４とが互いに同心になるように位置決めする。
【００２２】
スリーブブシュ２１８は雄ねじ部２２０を持つ。このため、ブシュヘッド２２２がキューの下側部分２１４の端部２１４ａに突き当たるまでスリーブブシュ２１８をねじ穴２１７にねじ込み接着することにより、スリーブブシュ２１８をキューの下側部分２１４に固定することができる。穴２１７は、スリーブブシュ２１８の前方に空所２１５ができるように、ねじ部２２０の長さより深く穿孔される。空所２１５は、キューの部分２１２と２１４とが連結されたときに、連結用ロッド２１６の軸２２８によって排除される空気を受け入れる。この空所はキューの部分の連結の妨げとなる過度の空気圧力を防止するに十分な容量を持つ。
【００２３】
スリーブブシュ２１８はスリーブブシュ１８と同様であるが、主な違いは寸法が僅かに違っていることである。スリーブブシュ２１８は長さ２５.０１９mm（０.９８５インチ）である。ねじ部２２０はＭ−１２×１.７５の変種ねじであり、その望ましい外径は１１.７６０mm（０.４６３インチ）、有効径は１０.６４３／１０.６６８mm（０.４１９／０.４２０インチ）である。ブシュヘッド２２２は幅３.３０２mm（０.１３０インチ）、直径１２.４４６ ＋０.０２５／−０.０００mm（０.４９０ ＋０.００１／−０.０００インチ）である。ねじ部２３０は長さ４.５７２mm（０.１８０インチ）、外径９.４２３ ＋０.０７６／−０.０００mm（０.３７１ ＋０.００３／−０.０００インチ）の１１ピッチのねじである。これ以外に、９ピッチや１０ピッチと言った他の適当なピッチのねじとすることもできる。円孔２２８の望ましい７.１０４ ＋０.００５／−０.０００mm（０.２７９７ ＋０.０００２／−０.００００インチ）である。ネック２２０ａは幅３.１７５mm（０.１２５インチ）、直径１０.８２０mm（０.４２６インチ）である。スリーブブシュ２１８は真鍮製とすることが望ましい。
【００２４】
ねじ部２２４を穴２０８のねじ部２０８ｂにねじ込んで接着することにより、連結用ロッド２１６がキューの上側部分２１２に固定される。直径部２２５は、キューの上側部分２１２内で連結用ロッド２１６を同心に芯出しする穴２０８の平滑部２０８ａに適合し、接着される。連結用ロッド２１６は、キューの上側部分２１２の端部２０４にねじ部２２６が突き当たるまで穴２０８にねじ込まれる。
【００２５】
連結用ロッド２１６は連結用ロッドと同様であるが、主な違いは連結用ロッド１６ト２１６ではねじ部２２６と２２４との間に平滑な直径部があることである。また、連結用ロッド２１６の寸法と連結用ロッド１６の寸法とにも僅かな違いがある。連結用ロッド２１６の長さは８５.７２５mm（３.３７５０インチ）であることが望ましい。直径部２２５には螺旋状の溝２２５ａがあり、この溝に接着剤を満たすことができる。これが穴２０８の平滑部２０８ａと直径部２２５との間の強力な接着部を形成する。溝２２５ａは２５.４mm（１インチ）当たり１０本のねじ条を持ち、深さ０.１２７〜０.２０３mm（０.００５〜０.００８インチ）である。望ましくは３.２μm（１２５マイクロインチ）仕上げの直径部２２５は、長さ２８.５７５mm（１.１２５インチ）、直径７.９５０ ＋０.０００／−０.０１３mm（０.３１３ ＋０.００００／−０.０００５インチ）である。ねじ部２２４は外径が７.７２２／７.６２０mm（０.３０４／０.３００インチ）、有効径が６.５２８／６.４５２mm（０.２５７／０.２５４インチ）で、長さが３５.８１４mm（１.４１０インチ）の5/16−１４変種ねじである。テーパー穴２２７は、連結用ロッド２１６を回す際の中心をなすとともに、連結用ロッド２１６の重量軽減のために連結用ロッドの内部を刳り貫く際の出発穴ともなる。
【００２６】
ねじ部２２６は、１条ねじで、望ましくは長さ５.５３７mm（０.２１８インチ）である。ねじ部２２６は外径が９.３７３ ＋０.０００／−０.０５１mm（０.３６９ ＋０.０００／−０.００２インチ）の１１ピッチねじである。ねじ部２２６は長さが短いため、約１ 3/4回転で終わる早く締め付け得るねじである。あるいは、ねじ部２２６において、１条の長さを1/4から２回転以下の範囲とすることができる。ねじ部２２６の寸法は、連結用ロッド２１６のねじ部２２６とスリーブブシュ２１８のねじ部２３０との間に一定限度の隙間ができるように決定される。ねじ部２２６の内径は、ねじ部２３０の外径に乗るようにすることが望ましい。これにより連結用ロッド２１６とスリーブブシュ２１８とを同心に保ち易くなる。ねじ部２２８は、ねじの山と谷とを切り取ったねじのような交差しにくい形状を持つことが望ましい。これには低山アクメねじや、鋸歯ねじが含まれる。あるいは、ねじ部２２６は鋭いＶ字形ねじを持つものであってもよいし、９ピッチ又は１０ピッチのような適切な他のピッチのねじであってもよい。
【００２７】
軸２２８は長さ２４.６３８mm（０.９７０インチ）、直径７.０８４＋０.０００／−０.００５mm（０.２７８９ ＋０.００００／−０.０００２インチ）である。軸２２８の長さはその直径の少なくも約３倍である。これにより、軸２２８とスリーブブシュ２１８の円孔２８３との間に、緩みが０.０３０mm（０.００１２インチ）から０.０２０mm（０.０００８インチ）までの隙間ができる。ただし、別の方法として、軸２２８と円孔２３８との間の隙間を約０.０１８mm（約０.０００５インチ）程度に小さくすることもできるし、あるいは約０.０５１mm（約０.００２インチ）程度に大きくすることもできる。更に、キューの部分２１２、２１４の同心度に厳密さが必要とされないときは、キューを低価格にするためにこの隙間を約０.２５４mm（約０.０１０インチ）の大きさにすることもできる。先端部２３４は、５゜の角度を持ち、その長さは６.３５mm（1/4インチ）であり、半径３.１７５mm（０.１２５インチ）で終わる。先端部２３４の５゜の角度により、組み立てられたキューの上側部分２１２は、先端部２３４を保持する逆向きのセンターを有するセンター間で回すことができので、キューの上側部分２１２を研磨（サンディング）やその他の作業にかけることができる。また、先端部２３４のこの５゜の角度と３．１７５mm（０.１２５インチ）の半径部とにより、先端部２３４は、（キューの上側部分２１２が落下した場合などの際に）軸２２８とスリーブブシュ２１０の円孔２３８との嵌め合いに影響を与えることなく表面に損傷を与えない。これは、５゜の角度と３.１７５mm（０.１２５インチ）の半径部の表面が円孔２３８と滑り嵌めになっていないという事実によるものである。この好ましい実施例において、連結用ロッド２１６はステンレス鋼製であり、軸２２８はハードコーティングされているので、軸２２８はスリーブブシュ２１８の円孔２３８内を容易に滑ることができる。別の方法として、軸２２８を早送り切削、又は研磨、ロール掛け、サンドブラストなど他の適当な手段で表面のテキスチュア仕上げをすることもできる。
【００２８】
テーパーカラー２４０は、カラー２４０のねじ部２４４及びキューの上側部分２１２のねじ部２０６により、連結用ロッド２１６と同心にキューの上側部分２１２に固定される。カラー２４０は、カラー２４０がショルダー２０２に突き当たるまでキューの上側部分２１２にねじ込まれる。カラー２４０が緩まないように、ねじ部２４４と２０６とに接着剤が塗布される。カラー２０４は連結用ロッド２１６のねじ部２２６より先に伸びかつこのねじ部を囲んでねじ部２２６を保護する。ねじ部２２６は、長さが短いため、カラー２４０の空所２４２内に完全に納まることができる。
【００２９】
キューの部分２１２と２１４との組合せ及び分解に必要な回転数は、カラー２４０のショルダー２４６とキューの上側部分２１２との間の隙間ｇ1を調整することによって調節できる。隙間ｇ1は、ショルダー２０２と端部２０４との間の距離を変えることによって変えられる。スリーブブシュ２１８がねじ部２２６と全長にわたって組み合わないように隙間ｇ1を調整することにより、端部２４０ａをねじ部２２６に関して軸方向に位置決めできる。このようにして、キューの部分２１２と２１４との組合せ及び分解に要する回転数を調節し、又は変えることができる。普通、隙間ｇ1は、キューの部分２１２と２１４が約１回転で組合い、分解するように設定される。しかし、隙間ｇ1は、キューの部分２１２と２１４とが１回転未満、例えば1/4回転で組合い、分解するように設定することもできる。また、ねじ部２２６及び２３０の長さが相応の大きさであるとしたとき、たとえ２回転でさえ不必要あるいは好ましくないと考えられたときでも、キューの部分２１２と２１４とを２回転で組み合いかつ分解するようにすることができる。好ましい回転数は１回転以下である。
【００３０】
カラー２４０の外径は、端部２４０ｂにおける２１.６４１ ＋０.０００／−０.０２５mm（０.８５２ ＋０.０００／−０.００１インチ）から、端部２４０ａにおける２１.３８７ ＋０.０００／−０.０２５mm（０.８４２ ＋０.０００／−０.００１インチ）までテーパーにすることが好ましい。カラー２４０の長さは２５.２７３ ＋０.０５１／−０.０００mm（０.９９５ ＋０.００２／−０.０００インチ）である。カラー２４０の深さは１４.７３２mm（０.５８インチ）の5/8−１８変種ねじを有するねじ部２４４を持つ。ねじ部２４４の有効径は１５.８１２／−１５.８８８mm（０.６２２５／−０.６２５５インチ）、内径は１５.１３８／１５.２１５mm（０.５９６／０.５９９インチ）である。内径２４８は１５.１１８１ ＋０.００５／−０.０００mm（０.５９５２ ＋０.０００２／−０.００００インチ）である。ショルダー２４６は面２４０ｂから１９.６８５ ＋０.０５１−０.０００mm（０.７７５ ＋０.００２／−０.０００インチ）離れている。カラー２４０はステンレス鋼製であることが好ましい。
【００３１】
図6を参照すれば、多ピース構成のキュー２１０を分解する際に、スリーブブシュ２１８を損傷から守るため、スリーブブシュ２１８に継ぎ手保護具２５０を取り付けることができる。継ぎ手保護具２５０はねじ部２５２を持ち、このねじ部２５２はスリーブブシュ２１８のねじ部２３０と組み合うので、継ぎ手保護具２５０をスリーブブシュ２１８にねじ込むことができる。ブシュヘッド２２２は凹所２５４内に適合し、完全に保護される。継ぎ手保護具２５０は、面２５０ａがキューの部分２１４の端部２１４ａに当たるまで締め付けられる。
【００３２】
図7を参照すれば、軸２２８を保護するため継ぎ手保護具２６０を連結用ロッド２１６に連結できる。継ぎ手保護具２６０はねじ部２６４を持ち、このねじ部２６４は連結用ロッド２１６のねじ部２２６と組み合い、かつ軸２２８を受け入れるための円孔２６２を持つ。ハブ２６６が空所２４２内に張り出しているので、面２６０ａをカラー２４０の端部２４０ａに当てて締め付けることができる。継ぎ手保護具２５０及び２６０はデルリン製とすることが望ましいが、ナイロン、アルミニウム、真鍮、木材、その他のような適当な材料製とすることもできる。
【００３３】
図8は、本発明の別の実施例を示す。連結用ロッド／カラー組立体２７０はキューの上側部分２１２に取り付ける前に組み立てられる。連結用ロッド／カラー組立体２７０には連結用ロッド２８０、カラー２４０及びアダプター２７１が含まれる。連結用ロッド２８０とアダプター２７１とが、それぞれねじ部２８４と１７９により組み付けられる。組付けが外れないように、ねじ部２８４と２７９に接着剤が塗布される。アダプター２７１とカラー２４０とが、それぞれねじ部２７２と２４４により組み付けられる。組付けが外れないように、ねじ部２７２と２４４に接着剤が塗布される。アダプター２７１を、端部２７８がショルダー２４６に当たるまでカラー内にねじ込む。アダプター２７１の直径部２７４はカラー２４０の直径部２４８と組み合い、アダプター２７１をカラー２４０内で同心に保つ。この好ましい実施例において、アダプター２７１はフェノール製とすることが望ましいが、ナイロンのようなプラスチック、アルミニウム、真鍮、木材、鋼その他の適当な材料とすることができる。
【００３４】
連結用ロッド２８０が連結用ロッド２１６と異なる主な点は、ねじ部２８４がねじ部２２６と平滑な直径部２８２との間にあることである。ねじ部２８４は０.３５０−１４２Ａねじであり、長さは９.５２５mm（０.３７５インチ）である。ネック２８６がねじ部２８４とねじ部２２６を分け隔てている。直径部２８２は直径６.９０９ ＋０.０１３／−０.０００mm（０.２７２ ＋０.０００５／−０.００００インチ）長さ５４.８６４mm（２.１６０インチ）である。
【００３５】
直径部２８２をキューの上側部分２１２の穴に挿入し、接着することにより連結用ロッド／カラー組立体２７０をキューの上側部分２１２に固定する。カラー２４０を、キューの上側部分２１２の端部にあるねじ付き直径部とねじ結合し、接着する。連結用ロッド／カラー組立体２７０はキューの上側部分２１２の組立に要する作業量を減らし、従って、生産性を高める。
【００３６】
カラー２４０、スリーブブシュ１８、１１８と２１８、及び連結用ロッド１６、１１６、２１６と２８０について具体的な寸法を明示したが、これらの寸法はあくまで例であって、種々の用途に対応して変わり得るものである。また、具体表示した許容差やねじの種類も変わり得る。カラー２４０、スリーブブシュ１８、１１８と２１８、連結用ロッド１６、１１６、２１６と２８０、継ぎ手保護具２５０と２６０、及びアダプター２７１は、鉄、鋼、ステンレス鋼をはじめ、真鍮、アルミニウム、チタン、青銅、プラスチック、銀、金など、適当な材料で製作できる。スリーブブシュ１８，１１８と２１８はテフロン（登録商標）でコーティングできる。連結用ロッド１６、１１６、２１６と２８０はハードコート又は金属メッキで被覆される。これにより、スリーブブシュ１８、１１８と２１８及び連結用ロッド１６、１１６、２１６と２８０は、すぐ摩耗したり、又は容易に擦り傷が付いたりしない。スリーブブシュ１８、１１８と２１８及び連結用ロッド１６、１１６、２１６と２８０は、旋盤のセンター間で機械加工できる。更に、キューの部分１２と１４とは、平らに機械加工され、そこにロゴを入れるようにすることができる。キューの部分１２と１４とには、レーザーを使ってマークを付けることができる。
【００３７】
本発明を好ましい実施例を参照し特別の説明したが、技術熟練者は、特許請求の範囲に定められた本発明の精神及び範囲から離れることなく形状及び詳細の種々の変化が可能であることを理解するであろう。
【００３８】
例えば、長いねじ部のある連結用ロッドを有する従来の継ぎ手は、これを図に示されたものと同様の継ぎ手を提供するように変更することができる。これは、雄の連結用ロッドのねじを、僅か１巻き又は２巻きのねじを有するねじ部分を残して旋削することにより達成される。継ぎ手の旋削された部分はねじスリーブ内への案内として作用する。かかる継ぎ手は迅速な連結をなし得るが、キューが連結用ロッドの平滑で細長い先端部を受け入れる平滑な円孔を有するときは２個のキューの部分をその正確な同心度には保持しないであろう。従来の継ぎ手の変更する別の方法には、１巻き又は２巻きだけのねじを残して雄の連結用ロッドを切削すること或いは１巻き又は２巻きのねじを残すようにねじスリーブのねじを穿孔することが含まれる。
【００３９】
本発明の実施態様は次の通りである。
【００４０】
１．平滑な内径面とリードの大きな連続ねじを持った雌ねじ部分とを有するスリーブに
組み付けられたキューの第１の部分；及び連結用ロッドに組み付けられたキューの第２の部分であって、この連結用ロッドはスリーブの平滑な内径と密に適合する平滑な細長い先端部及び大きなリードの連続したねじを持った第１の雄ねじ部分を有し、この第１の雄ねじ部分が連結用ロッドをスリーブに連結するためにスリーブの雌ねじ部分と組み合う前記キューの第１の部分を備えたキュー。
【００４１】
２．スリーブはスリーブをキューの第１の部分に組み付けるために雄ねじ部分を有し、連結用ロッドは連結用ロッドをキューの第２の部分に組み付けるために第２の雄ねじ部分を有する実施態様１のキュー。
【００４２】
３．連結用ロッドが第２の雄ねじ部分に隣接した平滑直径の領域を有し、この平滑直径部はこれに形成された溝を有する実施態様２のキュー。
【００４３】
４．スリーブの雌ねじ部分及び連結用ロッドの第１の雄ねじ部分が低山アクメねじである実施態様１のキュー。
【００４４】
５．スリーブと連結用ロッドとが連結用ロッドの１回転内で連結され得る実施態様１のキュー。
【００４５】
６．連結用ロッドの第１の雄ねじ部分を囲んでこれを保護するために連結用ロッドと同心にキューの第２の部分に組み付けられたカラーを更に備える実施態様１のキュー。
【００４６】
７．連結用ロッドの第１の雄ねじ部分に関するカラーの位置が連結用ロッドとスリーブとを一緒に組み付け得る回転数を決定する実施態様６のキュー。
【００４７】
８．連結用ロッドが約６.３５mm（約０.２５０インチ）間、５゜の角度を有する実施態様１のキュー。
【００４８】
９．連結用ロッドの先端が半径部において終わる実施態様１のキュー。
【００４９】
１０．スリーブの平滑な内径部分と連結用ロッドの平滑な細長い先端部との間の隙間が約０.０５１mm（約０.００２インチ）より小さい実施態様１のキュー。
【００５０】
１１．リードの大きな連続ねじを持った雌ねじ部分を有するスリーブに組み付けられたキューの第１の部分；及び連結用ロッドをスリーブに迅速に連結するために第１の雄ねじ部分がスリーブの雌ねじ部分と組み合うように大きなリードを持った連続ねじのある第１の雄ねじ部分を有する連結用ロッドに組み付けられたキューの第２の部分を備えたキュー。
【図面の簡単な説明】
【００５１】
【図１】本発明のキューの２個の部分の連結領域におけるキューの断面図である。
【図２】スリーブブシュの断面図である。
【図３】連結用ロッドの側面図である。
【図４】好ましい実施例のスリーブブシュと連結用ロッドの断面図である。
【図５】本発明の別の好ましい実施例の側面断面図である。
【図６】スリーブブシュを保護する継ぎ手保護具の側面断面図である。
【図７】連結用ロッドを保護する継ぎ手保護具の側面断面図である。
【図８】連結用ロッド／カラー組立体の側面断面図である。
【符号の説明】
【００５２】
１０ キュー
１１ 継ぎ手
１２ 上側部分
１４ 下側部分
１６ 連結ロッド
１８ スリーブブシュ
【図１】
2006187642.tif 000003
【図２】
2006187642.tif 000004
【図３】
2006187642.tif 000005
【図４】
2006187642.tif 000006
【図５】
2006187642.tif 000007
【図６】
2006187642.tif 000008
【図７】
2006187642.tif 000009
【図８】
2006187642.tif 000010
【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
平滑な内径面部(３８)と、単一のねじ直径のみを有する雌ねじ部(３０)のみで構成されたねじ部とを有する、キュー（１０）の第1の部分（１４）に連結するためのスリーブブシュ（１８）と、
前記スリーブブシュ（１８）の平滑な内径面部（３８）と蜜に適合する平滑な細長い先端部（２８）と、単一のねじ直径のみを有する雄ねじ部（２６）のみで構成されたねじ部とを有する、キュー（１０）の第２の部分（１２）に連結するための連結用ロッド（１６）とを具備し、
前記第1の雄ねじ部（２６）が、前記雌ネジ部（３０）に係合して、前記連結用ロッド（１６）を前記スリーブブシュ（１８）に連結し、
前記スリーブブシュ（１８）と前記連結用ロッド（１６）とが、互いにほぼ1回転以内で連結されることを特徴とするキューのための継ぎ手。
【請求項２】
平滑な内径面部(３８)と、単一のねじ直径のみを有する雌ねじ部(３０)のみで構成されたねじ部とを有する、キュー（１０）の第1の部分（１４）に連結するためのスリーブブシュ（１８）の前記雌ねじ部（３０）と、
前記スリーブブシュ（１８）の平滑な内径面部（３８）と蜜に適合する平滑な細長い先端部（２８）と、単一のねじ直径のみを有する雄ねじ部（２６）のみで構成されたねじ部とを有する、キュー（１０）の第２の部分（１２）に連結するための連結用ロッド（１６）の前記雄ねじ部（２６）とを係合させて、
前記連結用ロッド（１６）を前記スリーブブシュ（１８）に互いにほぼ1回転以内で連結することを特徴とするキューの連結組み立て方法。
【手続補正２】
【補正対象書類名】明細書
【補正対象項目名】０００５
【補正方法】変更
【補正の内容】
【０００５】
本発明の第1の構成は、平滑な内径面部(３８)と、単一のねじ直径のみを有する雌ねじ部(３０)のみで構成されたねじ部とを有する、キュー（１０）の第1の部分（１４）に連結するためのスリーブブシュ（１８）と、
前記スリーブブシュ（１８）の平滑な内径面部（３８）と蜜に適合する平滑な細長い先端部（２８）と、単一のねじ直径のみを有する雄ねじ部（２６）のみで構成されたねじ部とを有する、キュー（１０）の第２の部分（１２）に連結するための連結用ロッド（１６）とを具備し、
前記第1の雄ねじ部（２６）が、前記雌ネジ部（３０）に係合して、前記連結用ロッド（１６）を前記スリーブブシュ（１８）に連結し、
前記スリーブブシュ（１８）と前記連結用ロッド（１６）とが、互いにほぼ1回転以内で連結されることを特徴とするキューのための継ぎ手である。
また、本発明の第2の構成は、平滑な内径面部(３８)と、単一のねじ直径のみを有する雌ねじ部(３０)のみで構成されたねじ部とを有する、キュー（１０）の第1の部分（１４）に連結するためのスリーブブシュ（１８）の前記雌ねじ部（３０）と、
前記スリーブブシュ（１８）の平滑な内径面部（３８）と蜜に適合する平滑な細長い先端部（２８）と、単一のねじ直径のみを有する雄ねじ部（２６）のみで構成されたねじ部とを有する、キュー（１０）の第２の部分（１２）に連結するための連結用ロッド（１６）の前記雄ねじ部（２６）とを係合させて、
前記連結用ロッド（１６）を前記スリーブブシュ（１８）に互いにほぼ1回転以内で連結することを特徴とするキューの連結組み立て方法である。